(57)【特許請求の範囲】
【請求項１】
表示部と、
前記表示部に重ねて配置され、指示体との間の距離を検出可能なタッチパネルと、を備え、
前記表示部の明るさが第１の明るさの場合で、かつ、前記タッチパネルに所定時間操作が無い場合で、かつ、前記距離が所定の距離より大きい場合、前記表示部の明るさを、前記第１の明るさより暗い第２の明るさに変化させ、
前記表示部の明るさが第１の明るさの場合で、かつ、前記タッチパネルに所定時間操作が無い場合で、かつ、前記距離が前記所定の距離以下である場合、前記表示部の明るさを、少なくとも前記第２の明るさよりも明るい第３の明るさとする、
携帯電子機器。
【請求項２】
請求項１に記載の携帯電子機器であって、
前記第３の明るさは、前記第２の明るさよりも明るく、かつ前記第１の明るさ以下である、
携帯電子機器。
【請求項３】
請求項２に記載の携帯電子機器であって、
前記第３の明るさは、前記第１の明るさと同じである、
携帯電子機器。
【請求項４】
請求項１から請求項３のいずれか１項に記載の携帯電子機器であって、
前記第２の明るさは、消灯の明るさである、
携帯電子機器。
【請求項５】
請求項１から請求項４のいずれか１項に記載の携帯電子機器であって、
前記表示部は、液晶表示器であって、
前記明るさは、前記液晶表示器のバックライトによって供給される、
携帯電子機器。
【請求項６】
請求項５に記載の携帯電子機器であって、
前記所定時間を第１の時間とし、
前記表示部の明るさが第１の明るさの場合で、かつ、前記タッチパネルに前記第１の時間操作が無い場合で、かつ、前記距離が所定の距離より大きい場合、前記表示部の明るさを、前記第２の明るさに変化させ、
その後、前記表示部の明るさが前記第２の明るさの場合で、かつ、前記タッチパネルに第２の時間操作が無い場合で、かつ、前記距離が所定の距離より大きい場合、前記液晶表示器の表示を消す、
携帯電子機器。
【請求項７】
請求項１から請求項４のいずれか１項に記載の携帯電子機器であって、
前記表示部は、自発光の表示器であって、
前記明るさは、前記表示器が自ら発光することによって供給される、
携帯電子機器。
【請求項８】
請求項７に記載の携帯電子機器であって、
前記自発光の表示器は、有機ＥＬ表示器である、
携帯電子機器。
【請求項９】
請求項１から請求項８のいずれか１項に記載の携帯電子機器であって、
前記所定の距離を第１の距離とし、
前記距離が第２の距離以下の場合に、動作する所定の機能を更に有し、
前記第１の距離は、前記第２の距離より大きい、
携帯電子機器。
【請求項１０】
表示部と、前記表示部に重ねて配置され、指示体との間の距離を検出可能なタッチパネルと、を備える携帯電子機器において利用可能な明るさ制御方法であって、
前記表示部の明るさが第１の明るさの場合で、かつ、前記タッチパネルに所定時間操作が無い場合で、かつ、前記距離が所定の距離より大きい場合、前記表示部の明るさを、前記第１の明るさより暗い第２の明るさに変化させ、
前記表示部の明るさが第１の明るさの場合で、かつ、前記タッチパネルに所定時間操作が無い場合で、かつ、前記距離が前記所定の距離以下である場合、前記表示部の明るさを、少なくとも前記第２の明るさよりも明るい第３の明るさとする、
明るさ制御方法。
【請求項１１】
表示部と、
前記表示部に重ねて配置され、指示体との間の距離を検出可能であり、所定の領域を備えるタッチパネルと、を備え、
前記表示部の明るさが第１の明るさの場合で、かつ、前記タッチパネルに所定時間操作が無い場合で、かつ、前記距離が所定の距離より大きい場合、前記表示部の明るさを、前記第１の明るさより暗い第２の明るさに変化させ、
前記表示部の明るさが第１の明るさの場合で、かつ、前記タッチパネルに所定時間操作が無い場合で、かつ、前記指示体が前記所定の領域内に有り、かつ、前記距離が前記所定の距離以下である場合、前記表示部の明るさを、少なくとも前記第２の明るさよりも明るい第３の明るさとする、
携帯電子機器。
【請求項１２】
請求項１１に記載の携帯電子機器であって、
前記表示部の明るさが第１の明るさの場合で、かつ、前記タッチパネルに所定時間操作が無い場合で、かつ、前記指示体が前記所定の領域外に有り、かつ、前記距離が前記所定の距離以下である場合、前記表示部の明るさを、前記第２の明るさとする、
携帯電子機器。
【請求項１３】
請求項１１又は請求項１２に記載の携帯電子機器であって、
加速度センサーを備え、
前記表示部の明るさが第１の明るさの場合で、かつ、前記タッチパネルに所定時間操作が無い場合で、かつ、前記指示体が前記所定の領域内に有り、かつ、前記距離が前記所定の距離以下である場合で、かつ、前記加速度センサーが所定の加速度を検出しない場合、前記表示部の明るさを、前記第３の明るさとし、
前記表示部の明るさが第１の明るさの場合で、かつ、前記タッチパネルに所定時間操作が無い場合で、かつ、前記指示体が前記所定の領域内に有り、かつ、前記距離が前記所定の距離以下である場合で、かつ、前記加速度センサーが前記所定の加速度を検出する場合、前記表示部の明るさを、前記第２の明るさとする、
携帯電子機器。
【請求項１４】
請求項１１から請求項１３のいずれか１項に記載の携帯電子機器であって、
前記第３の明るさは、前記第２の明るさよりも明るく、かつ前記第１の明るさ以下である、
携帯電子機器。
【請求項１５】
請求項１４に記載の携帯電子機器であって、
前記第３の明るさは、前記第１の明るさと同じである、
携帯電子機器。
【請求項１６】
請求項１１から請求項１５のいずれか１項に記載の携帯電子機器であって、
前記第２の明るさは、消灯の明るさである、
携帯電子機器。
【請求項１７】
請求項１１から請求項１６のいずれか１項に記載の携帯電子機器であって、
前記表示部は、液晶表示器であって、
前記明るさは、前記液晶表示器のバックライトによって供給される、
携帯電子機器。
【請求項１８】
請求項１１から請求項１６のいずれか１項に記載の携帯電子機器であって、
前記表示部は、自発光の表示器であって、
前記明るさは、前記表示器が自ら発光することによって供給される、
携帯電子機器。
【請求項１９】
請求項１８に記載の携帯電子機器であって、
前記自発光の表示器は、有機ＥＬ表示器である、
携帯電子機器。
【請求項２０】
請求項１１から請求項１９のいずれか１項に記載の携帯電子機器であって、
前記所定の距離を第１の距離とし、
前記距離が第２の距離以下の場合に、動作する所定の機能を更に有し、
前記第１の距離は、前記第２の距離より大きい、
携帯電子機器。
【請求項２１】
表示部と、前記表示部に重ねて配置され、指示体との間の距離を検出可能であり、所定の領域を備えるタッチパネルと、を備える携帯電子機器において利用可能な明るさ制御方法であって、
前記表示部の明るさが第１の明るさの場合で、かつ、前記タッチパネルに所定時間操作が無い場合で、かつ、前記距離が所定の距離より大きい場合、前記表示部の明るさを、前記第１の明るさより暗い第２の明るさに変化させ、
前記表示部の明るさが第１の明るさの場合で、かつ、前記タッチパネルに所定時間操作が無い場合で、かつ、前記指示体が前記所定の領域内に有り、かつ、前記距離が前記所定の距離以下である場合、前記表示部の明るさを、少なくとも前記第２の明るさよりも明るい第３の明るさとする、
明るさ制御方法。
【請求項２２】
表示部と、
前記表示部に重ねて配置され、人体との間の距離を検出可能であり、前記距離が所定の距離である人体の面積を検出可能なタッチパネルと、を備え、
前記表示部の明るさが第１の明るさの場合で、かつ、少なくとも前記人体の面積が第１の面積より大きい場合、前記表示部の明るさを、前記第１の明るさより暗い第２の明るさに変化させ、
前記表示部の明るさが前記第２の明るさの場合で、かつ、少なくとも前記人体の面積が第２の面積より小さい場合、前記表示部の明るさを、少なくとも前記第２の明るさよりも明るい第３の明るさとする、
携帯電子機器。
【請求項２３】
請求項２２に記載の携帯電子機器であって、
前記第１の面積と前記第２の面積は、実質的に同一である、
携帯電子機器。
【請求項２４】
請求項２２に記載の携帯電子機器であって、
前記第１の面積は、前記第２の面積より大きい、
携帯電子機器。
【請求項２５】
請求項２２から請求項２４のいずれか１項に記載の携帯電子機器であって、
前記表示部の明るさが第１の明るさの場合で、かつ、少なくとも前記人体の面積が前記第１の面積より大きい状態が第１の時間継続する場合、前記表示部の明るさを、前記第１の明るさより暗い第２の明るさに変化させ、
前記表示部の明るさが前記第２の明るさの場合で、かつ、少なくとも前記人体の面積が前記第２の面積より小さい状態が第２の時間継続する場合、前記表示部の明るさを、少なくとも前記第２の明るさよりも明るい第３の明るさとする、
携帯電子機器。
【請求項２６】
請求項２５に記載の携帯電子機器であって、
前記第１の時間と前記第２の時間は、実質的に同一である、
携帯電子機器。
【請求項２７】
請求項２２から請求項２６のいずれか１項に記載の携帯電子機器であって、
前記第３の明るさは、前記第２の明るさよりも明るく、かつ前記第１の明るさ以下である、
携帯電子機器。
【請求項２８】
請求項２７に記載の携帯電子機器であって、
前記第３の明るさは、前記第１の明るさと同じである、
携帯電子機器。
【請求項２９】
請求項２２から請求項２８のいずれか１項に記載の携帯電子機器であって、
前記第２の明るさは、消灯の明るさである、
携帯電子機器。
【請求項３０】
請求項２２から請求項２９のいずれか１項に記載の携帯電子機器であって、
前記表示部は、液晶表示器であって、
前記明るさは、前記液晶表示器のバックライトによって供給される、
携帯電子機器。
【請求項３１】
請求項２２から請求項２９のいずれか１項に記載の携帯電子機器であって、
前記表示部は、自発光の表示器であって、
前記明るさは、前記表示器が自ら発光することによって供給される、
携帯電子機器。
【請求項３２】
請求項３１に記載の携帯電子機器であって、
前記自発光の表示器は、有機ＥＬ表示器である、
携帯電子機器。
【請求項３３】
請求項２２から請求項３２のいずれか１項に記載の携帯電子機器であって、
前記所定の距離は、少なくとも０よりも大きい距離である、
携帯電子機器。
【請求項３４】
請求項２２から請求項３３のいずれか１項に記載の携帯電子機器であって、
前記所定の距離を第１の距離とし、
前記距離が第２の距離以下の場合に、動作する所定の機能を更に有し、
前記第１の距離は、前記第２の距離より大きい、
携帯電子機器。
【請求項３５】
表示部と、前記表示部に重ねて配置され、人体との間の距離を検出可能であり、前記距離が所定の距離である人体の面積を検出可能なタッチパネルと、を備える携帯電子機器において利用可能な明るさ制御方法であって、
前記表示部の明るさが第１の明るさの場合で、かつ、少なくとも前記人体の面積が第１の面積より大きい場合、前記表示部の明るさを、前記第１の明るさより暗い第２の明るさに変化させ、
前記表示部の明るさが前記第２の明るさの場合で、かつ、少なくとも前記人体の面積が第２の面積より小さい場合、前記表示部の明るさを、少なくとも前記第２の明るさよりも明るい第３の明るさとする、
明るさ制御方法。
【発明の詳細な説明】
【技術分野】
【０００１】
本発明は、表示部と該表示部の表示面上に配置されるタッチパネルとを有する携帯電子機器に係り、特に静電容量方式のタッチパネルを有する携帯電子機器に関する。
【背景技術】
【０００２】
近年、携帯電話や情報端末機器（例えば、スマートフォン、タブレット等）の普及に伴い、ブラウザ、ＳＮＳ（Social Networking Service）、電子書籍等を閲覧する機会が増加し、機器の使用時間が長くなる傾向にある。
携帯電話や情報端末機器には、省電力機能を搭載し、長時間の使用を可能にしているものがある。省電力機能には、タッチパネルへの操作が所定時間無い場合に、表示画面の明かり（バックライト）を消し、その後、更に継続して所定時間操作が無ければ表示そのものを消すようにしたものがある。【０００３】
また、特許文献１に記載された携帯端末装置では、温度センサーの検出信号に基づいて筐体の温度変化を検出した場合にバックライトを点灯させ、温度センサーの検出信号に基づいて上記温度変化と逆方向の温度変化を検出した場合にバックライトを消灯させるようにして、省電力化を図っている。
【先行技術文献】
【特許文献】
【０００４】
【特許文献１】日本国特開２００６−０９１２２２号公報
【発明の概要】
【発明が解決しようとする課題】
【０００５】
しかしながら、ブラウザ、ＳＮＳ、電子書籍等を閲覧しているときに、タッチパネルへの操作が所定時間無くて省電力機能が実行された場合、表示画面が暗くなり、閲覧中の表示が読み難くなってしまうという課題がある。また、閲覧中に表示画面が暗くなった場合、電源キーやメニューキー等のキーを操作することで表示画面を明るくすることができるが、表示画面が暗くなる毎にこのような操作を行うのは煩わしいという課題もある。【０００６】
また、上述した特許文献１に記載された携帯端末装置では、筐体を手で持っている間は操作を行わなくてもバックライトが点灯した状態になるので、閲覧中の表示が読み難くなってしまうことはないが、その間の省電力化は図れないという課題がある。【０００７】
本発明は、係る事情に鑑みてなされたものであり、タッチパネルへの操作が所定時間無い場合でも、ユーザが任意に表示画面の明るさを設定することができる携帯電子機器を提供することを目的とする。
【課題を解決するための手段】
【０００８】
本発明の携帯電子機器は、表示部と、前記表示部に重ねて配置され、指示体との間の距離を検出可能なタッチパネルと、を備え、前記表示部の明るさが第１の明るさの場合で、かつ、前記タッチパネルに所定時間操作が無い場合で、かつ、前記距離が所定の距離より大きい場合、前記表示部の明るさを、前記第１の明るさより暗い第２の明るさに変化させ、前記表示部の明るさが第１の明るさの場合で、かつ、前記タッチパネルに所定時間操作が無い場合で、かつ、前記距離が前記所定の距離以下である場合、前記表示部の明るさを、少なくとも前記第２の明るさよりも明るい第３の明るさとする。【０００９】
上記構成によれば、表示部が第１の明るさになっている状態で、タッチパネルに所定時間操作が無く、また指示体とタッチパネルとの間の距離が所定の距離より大きければ、表示部の明るさを第１の明るさより暗い第２の明るさに変化させ、表示部の明るさが第１の明るさになっている状態で、タッチパネルに所定時間操作が無く、また指示体とタッチパネルとの間の距離が所定の距離以下であれば、表示部の明るさを、少なくとも第２の明るさよりも明るい第３の明るさに変化させるので、タッチパネルに対して所定時間操作を行わなくても、指示体を所定の距離以下までタッチパネルに近づけておけば、表示画面を明るい状態に保持することができる。そして、指示体を所定の距離を超えてタッチパネルから離すことで表示画面が暗くなり、省電力化が図れる。【００１０】
上記構成において、前記第３の明るさは、前記第２の明るさよりも明るく、かつ前記第１の明るさ以下である。【００１１】
上記構成において、前記第３の明るさは、前記第１の明るさと同じである。【００１２】
上記構成において、前記第２の明るさは、消灯の明るさである。【００１３】
上記構成において、前記表示部は、液晶表示器であって、前記明るさは、前記液晶表示器のバックライトによって供給される。【００１４】
上記構成において、前記所定時間を第１の時間とし、前記表示部の明るさが第１の明るさの場合で、かつ、前記タッチパネルに前記第１の時間操作が無い場合で、かつ、前記距離が所定の距離より大きい場合、前記表示部の明るさを、前記第２の明るさに変化させ、その後、前記表示部の明るさが前記第２の明るさの場合で、かつ、前記タッチパネルに第２の時間操作が無い場合で、かつ、前記距離が所定の距離より大きい場合、前記液晶表示器の表示を消す。【００１５】
上記構成において、前記表示部は、自発光の表示器であって、前記明るさは、前記表示器が自ら発光することによって供給される。【００１６】
上記構成において、前記自発光の表示器は、有機ＥＬ表示器である。【００１７】
上記構成において、前記所定の距離を第１の距離とし、前記距離が第２の距離以下の場合に、動作する所定の機能を更に有し、前記第１の距離は、前記第２の距離より大きい。【００１８】
本発明の明るさ制御方法は、表示部と、前記表示部に重ねて配置され、指示体との間の距離を検出可能なタッチパネルと、を備える携帯電子機器において利用可能な明るさ制御方法であって、前記表示部の明るさが第１の明るさの場合で、かつ、前記タッチパネルに所定時間操作が無い場合で、かつ、前記距離が所定の距離より大きい場合、前記表示部の明るさを、前記第１の明るさより暗い第２の明るさに変化させ、前記表示部の明るさが第１の明るさの場合で、かつ、前記タッチパネルに所定時間操作が無い場合で、かつ、前記距離が前記所定の距離以下である場合、前記表示部の明るさを、少なくとも前記第２の明るさよりも明るい第３の明るさとする。【００１９】
本発明の携帯電子機器は、表示部と、前記表示部に重ねて配置され、指示体との間の距離を検出可能であり、所定の領域を備えるタッチパネルと、を備え、前記表示部の明るさが第１の明るさの場合で、かつ、前記タッチパネルに所定時間操作が無い場合で、かつ、前記距離が所定の距離より大きい場合、前記表示部の明るさを、前記第１の明るさより暗い第２の明るさに変化させ、前記表示部の明るさが第１の明るさの場合で、かつ、前記タッチパネルに所定時間操作が無い場合で、かつ、前記指示体が前記所定の領域内に有り、かつ、前記距離が前記所定の距離以下である場合、前記表示部の明るさを、少なくとも前記第２の明るさよりも明るい第３の明るさとする。【００２０】
上記構成によれば、表示部が第１の明るさになっている状態で、タッチパネルに対して所定時間操作が行われず、そのときの指示体とタッチパネルとの間の距離が所定の距離より大きい場合、表示部の明るさを第１の明るさより暗い第２の明るさに変化させるので、省電力化が図れる。
また、表示部の明るさが第１の明るさになっている状態で、タッチパネルに対して所定時間操作が行われず、指示体が所定の領域内に有り、そのときの指示体とタッチパネルとの間の距離が所定の距離以下である場合、表示部の明るさを、少なくとも第２の明るさよりも明るい第３の明るさに変化させるので、タッチパネルに対して所定時間操作を行わなくても、指示体を所定の領域内で、所定の距離以下までタッチパネルに近づけておけば、表示部を明るい状態に保持することができる。【００２１】
上記構成において、前記表示部の明るさが第１の明るさの場合で、かつ、前記タッチパネルに所定時間操作が無い場合で、かつ、前記指示体が前記所定の領域外に有り、かつ、前記距離が前記所定の距離以下である場合、前記表示部の明るさを、前記第２の明るさとする。【００２２】
上記構成によれば、表示部の明るさが第１の明るさになっている状態で、タッチパネルに対して所定時間操作が行われず、指示体が所定の領域外に有り、そのときの指示体とタッチパネルとの間の距離が所定の距離以下である場合、表示部の明るさを第２の明るさに変化させるので、省電力化が図れる。【００２３】
上記構成において、加速度センサーを備え、前記表示部の明るさが第１の明るさの場合で、かつ、前記タッチパネルに所定時間操作が無い場合で、かつ、前記指示体が前記所定の領域内に有り、かつ、前記距離が前記所定の距離以下である場合で、かつ、前記加速度センサーが所定の加速度を検出しない場合、前記表示部の明るさを、前記第３の明るさとし、前記表示部の明るさが第１の明るさの場合で、かつ、前記タッチパネルに所定時間操作が無い場合で、かつ、前記指示体が前記所定の領域内に有り、かつ、前記距離が前記所定の距離以下である場合で、かつ、前記加速度センサーが前記所定の加速度を検出する場合、前記表示部の明るさを、前記第２の明るさとする。【００２４】
上記構成によれば、表示部の明るさが第１の明るさになっている状態で、タッチパネルに対して所定時間操作が行われず、指示体が所定の領域内に有り、そのときの指示体とタッチパネルとの間の距離が所定の距離以下であって、かつ、加速度センサーが所定の加速度を検出しない場合、表示部の明るさを第３の明るさとし、表示部の明るさが第１の明るさになっている状態で、タッチパネルに対して所定時間操作が行われず、指示体が所定の領域内に有り、そのときの指示体とタッチパネルとの間の距離が所定の距離以下であって、かつ、加速度センサーが所定の加速度を検出する場合、表示部の明るさを第２の明るさとするので、携帯電子機器を手で持っていても、使用状態でなければ自動的に表示画面が暗くなることから、省電力化が図れる。【００２５】
上記構成において、前記第３の明るさは、前記第２の明るさよりも明るく、かつ前記第１の明るさ以下である。【００２６】
上記構成において、前記第３の明るさは、前記第１の明るさと同じである。【００２７】
上記構成において、前記第２の明るさは、消灯の明るさである。【００２８】
上記構成において、前記表示部は、液晶表示器であって、前記明るさは、前記液晶表示器のバックライトによって供給される。【００２９】
上記構成において、前記表示部は、自発光の表示器であって、前記明るさは、前記表示器が自ら発光することによって供給される。【００３０】
上記構成において、前記自発光の表示器は、有機ＥＬ表示器である。【００３１】
上記構成において、前記所定の距離を第１の距離とし、前記距離が第２の距離以下の場合に、動作する所定の機能を更に有し、前記第１の距離は、前記第２の距離より大きい。【００３２】
本発明の明るさ制御方法は、表示部と、前記表示部に重ねて配置され、指示体との間の距離を検出可能であり、所定の領域を備えるタッチパネルと、を備える携帯電子機器において利用可能な明るさ制御方法であって、前記表示部の明るさが第１の明るさの場合で、かつ、前記タッチパネルに所定時間操作が無い場合で、かつ、前記距離が所定の距離より大きい場合、前記表示部の明るさを、前記第１の明るさより暗い第２の明るさに変化させ、前記表示部の明るさが第１の明るさの場合で、かつ、前記タッチパネルに所定時間操作が無い場合で、かつ、前記指示体が前記所定の領域内に有り、かつ、前記距離が前記所定の距離以下である場合、前記表示部の明るさを、少なくとも前記第２の明るさよりも明るい第３の明るさとする。【００３３】
本発明の携帯電子機器は、表示部と、前記表示部に重ねて配置され、人体との間の距離を検出可能であり、前記距離が所定の距離である人体の面積を検出可能なタッチパネルと、を備え、前記表示部の明るさが第１の明るさの場合で、かつ、少なくとも前記人体の面積が第１の面積より大きい場合、前記表示部の明るさを、前記第１の明るさより暗い第２の明るさに変化させ、前記表示部の明るさが前記第２の明るさの場合で、かつ、少なくとも前記人体の面積が第２の面積より小さい場合、前記表示部の明るさを、少なくとも前記第２の明るさよりも明るい第３の明るさとする。【００３４】
上記構成によれば、表示部が第１の明るさになっている状態で、タッチパネルで検出された人体の面積が第１の面積より大きければ、表示部の明るさを第１の明るさより暗い第２の明るさに変化させるので、タッチパネルに対する操作を行わず、単に携帯電子機器を手で持っている間は表示画面を暗い状態に保持することができ、省電力化が図れる。
また、表示部の明るさが第２の明るさになっている状態で、タッチパネルで検出された人体の面積が第２の面積より小さければ、表示部の明るさを、少なくとも第２の明るさよりも明るい第３の明るさに変化させるので、タッチパネルに対して操作待ち又は操作を行っている間は表示画面を明るい状態に保持することができる。【００３５】
上記構成において、前記第１の面積と前記第２の面積は、実質的に同一である。【００３６】
上記構成において、前記第１の面積は、前記第２の面積より大きい。【００３７】
上記構成において、前記表示部の明るさが第１の明るさの場合で、かつ、少なくとも前記人体の面積が前記第１の面積より大きい状態が第１の時間継続する場合、前記表示部の明るさを、前記第１の明るさより暗い第２の明るさに変化させ、前記表示部の明るさが前記第２の明るさの場合で、かつ、少なくとも前記人体の面積が前記第２の面積より小さい状態が第２の時間継続する場合、前記表示部の明るさを、少なくとも前記第２の明るさよりも明るい第３の明るさとする。【００３８】
上記構成によれば、人体の面積が第１の面積より大きくなってもそれが一時的であれば第２の明るさに変化させず、また、人体の面積が第２の面積より小さくなってもそれが一時的であれば第３の明るさに変化させないので、誤動作を防止できる。【００３９】
上記構成において、前記第１の時間と前記第２の時間は、実質的に同一である。【００４０】
上記構成において、前記第３の明るさは、前記第２の明るさよりも明るく、かつ前記第１の明るさ以下である。【００４１】
上記構成において、前記第３の明るさは、前記第１の明るさと同じである。【００４２】
上記構成において、前記第２の明るさは、消灯の明るさである。【００４３】
上記構成において、前記表示部は、液晶表示器であって、前記明るさは、前記液晶表示器のバックライトによって供給される。【００４４】
上記構成において、前記表示部は、自発光の表示器であって、前記明るさは、前記表示器が自ら発光することによって供給される。【００４５】
上記構成において、前記自発光の表示器は、有機ＥＬ表示器である。【００４６】
上記構成において、前記所定の距離は、少なくとも０よりも大きい距離である。【００４７】
上記構成において、前記所定の距離を第１の距離とし、前記距離が第２の距離以下の場合に、動作する所定の機能を更に有し、前記第１の距離は、前記第２の距離より大きい。【００４８】
本発明の明るさ制御方法は、表示部と、前記表示部に重ねて配置され、人体との間の距離を検出可能であり、前記距離が所定の距離である人体の面積を検出可能なタッチパネルと、を備える携帯電子機器において利用可能な明るさ制御方法であって、前記表示部の明るさが第１の明るさの場合で、かつ、少なくとも前記人体の面積が第１の面積より大きい場合、前記表示部の明るさを、前記第１の明るさより暗い第２の明るさに変化させ、前記表示部の明るさが前記第２の明るさの場合で、かつ、少なくとも前記人体の面積が第２の面積より小さい場合、前記表示部の明るさを、少なくとも前記第２の明るさよりも明るい第３の明るさとする。
【発明の効果】
【００４９】
本発明によれば、タッチパネルへの操作が所定時間無い場合でも、ユーザが任意に表示画面の明るさを設定することができる。
【図面の簡単な説明】
【００５０】
【図１】本発明の実施の形態１に係る携帯電子機器の概略構成を示すブロック図
【図２】図１の携帯電子機器の概観を示す正面図
【図３】図１の携帯電子機器のタッチパネル部と指の位置関係を示す図
【図４】図１の携帯電子機器におけるタッチ領域の大きさと指の近接検知距離の一例を模式的に示した図
【図５】（ａ）〜（ｅ）図１の携帯電子機器の使用状態の違いによる表示部の明るさの変化を示す図
【図６】図１の携帯電子機器の明るさ変更処理を示すフローチャート
【図７】本発明の実施の形態２に係る携帯電子機器の概略構成を示すブロック図
【図８】図７の携帯電子機器におけるタッチパネル部と指示体の位置関係を示す図
【図９】（ａ）〜（ｄ）図７の携帯電子機器の使用形態を示す図
【図１０】図７の携帯電子機器において、加速度検出を行わない場合の明るさ変更処理を示すフローチャート
【図１１】図７の携帯電子機器において、加速度検出を行う場合の明るさ変更処理を示すフローチャート
【図１２】本発明の実施の形態３に係る携帯電子機器の概略構成を示すブロック図
【図１３】（ａ），（ｂ）図１２の携帯電子機器の使用形態を示す図
【図１４】図１２の携帯電子機器の明るさ変更処理を示すフローチャート
【発明を実施するための形態】
【００５１】
以下、本発明を実施するための好適な実施の形態について、図面を参照して詳細に説明する。
【００５２】
（実施の形態１）
図１は、本発明の実施の形態１に係る携帯電子機器の概略構成を示すブロック図である。また、図２は、図１の携帯電子機器の概観を示す正面図である。なお、本実施の形態に係る携帯電子機器１は、例えばスマートフォンと呼ばれる携帯無線機に適用したものであり、無線機としての通信に関する部分は省略している。
【００５３】
図１において、本実施の形態に係る携帯電子機器１は、タッチパネル部（タッチパネル）２と、タッチパネルコントローラ３と、機器制御部４と、表示部５と、ファンクションキー６とを備える。また、図２に示すように、本実施の形態に係る携帯電子機器１は、縦長長方形状の筐体７を有しており、筐体７の前面側には、筐体７の前面の面積より僅かに小さい面積のタッチパネル部２及び表示部５が積層状態で配置されている。この場合、タッチパネル部２が表示部５の前面側に配置されている。また、筐体７の前面側の下端部には、ファンクションキー６として、３つのファンクションキー６−１〜６−３が等間隔で配置されている。図１に戻り、タッチパネルコントローラ３と機器制御部４は、ＣＰＵ（Central Processing Unit）、ＲＯＭ（Read Only Memory）、ＲＡＭ（Random Access Memory）及びインタフェース回路で構成される。該ＲＯＭにはＣＰＵを制御するためのプログラムが記憶されており、該ＲＡＭはＣＰＵの動作において使用される。
【００５４】
タッチパネル部２は、パネル面に指示体（ユーザの指やペン等であり、本実施の形態では“指”として扱うこととする）が触れることなく所定の範囲の高さでの操作（これを“ホバー操作”と呼ぶ）が可能な静電容量方式を採用したものである。タッチパネル部２は、図示せぬ送信電極と受信電極とを備えており、これらが板状の誘電体の下面に離間して配置されている。送信電極にはタッチパネルコントローラ３から出力される送信信号に基づく駆動パルスが印加され、この駆動パルスの印加によって送信電極から電界が発生する。送信電極から発生する電界中に指が入ると、送信電極と受信電極の間の電気力線の数が減少し、この電気力線の数の変化が受信電極における電荷の変化として現れる。タッチパネル部２は、受信電極における電荷の変化に応じた受信信号をタッチパネルコントローラ３に出力する。タッチパネルコントローラ３は、タッチパネル部２に送信信号を出力するとともに、タッチパネル部２から出力される受信信号を入力する。タッチパネルコントローラ３は、タッチパネル部２から出力された受信信号から指示体である指を検出し、検出した指の位置（Ｘ，Ｙ，Ｚ）を示す座標信号を機器制御部４に出力する。
【００５５】
表示部５は、四角形状を成し、本実施の形態に係る携帯電子機器１を操作するための表示や画像等の表示に使用される。表示部５には液晶表示器（ＬＣＤ：Liquid Crystal Display）が用いられ、明るさはバックライト５１によって供給される。機器制御部４は、座標検出部４１と、バックライト及び表示制御部４２とを有する。座標検出部４１は、タッチパネルコントローラ３に制御信号を出力し、またタッチパネルコントローラ３からの座標信号をバックライト及び表示制御部４２に出力する。タッチパネルコントローラ３から出力される座標信号はタッチパネル部２上の指の位置（Ｘ，Ｙ，Ｚ）を示す信号である。
【００５６】
バックライト及び表示制御部４２は、表示部５に対してバックライト５１を点灯させるためのバックライト制御信号を出力するとともに、タッチパネル部２でのタッチ操作やホバー操作に応じた表示制御信号を出力する。また、バックライト及び表示制御部４２は、ファンクションキー６（６−１〜６−３）から出力されるファンクションキー制御信号に従って所定の機能を実行し、またファンクションキー制御信号と座標検出部４１から出力される座標信号に基づいて、表示部５のバックライト５１の点灯制御を行う。即ち、バックライト及び表示制御部４２は、座標検出部４１から出力される座標信号のうちＺ軸方向のＺ信号より指の近接を判定し、指が接近する場合、指とタッチパネル部２との間の距離を判定する。そして、判定した距離がタッチパネル部２における操作範囲内である場合、タッチパネル部２での操作を検出する。
【００５７】
また、バックライト及び表示制御部４２は、表示部５の明るさが第１の明るさの場合で、かつ、タッチパネル部２に第１の時間（所定時間）操作が無く（タッチ操作、ホバー操作のどちらも無い場合）、かつ、指とタッチパネル部２との間の距離が所定の距離より大きい場合、表示部５の明るさを、第１の明るさより暗い第２の明るさにするバックライト制御信号を表示部５に出力する。その後、表示部５の明るさが第２の明るさの場合で、かつ、タッチパネル部２に第２の時間操作が無い場合（タッチ操作、ホバー操作のどちらも無い場合）で、かつ、指とタッチパネル部２との間の距離が所定の距離より大きい場合、表示部５の表示を消灯する表示制御信号を表示部５に出力する。また、バックライト及び表示制御部４２は、表示部５の明るさが第１の明るさの場合で、かつ、タッチパネル部２に第１の時間操作が無く（タッチ操作、ホバー操作のどちらも無い場合）、かつ、指とタッチパネル部２との間の距離が所定の距離以下である場合、表示部５の明るさを、第２の明るさよりも明るい第３の明るさにするバックライト制御信号を表示部５に出力する。
【００５８】
なお、表示部５の第３の明るさは、第１の明るさ以下であっても良いし、第１の明るさと同じであっても良い。また、第２の明るさは、消灯の明るさであっても良い。また、上記第１の時間と第２の時間は、異なる時間でも同じ時間でも良い。
【００５９】
図３は、タッチパネル部２と指１０の位置関係を示す図である。同図において、指１０とタッチパネル部２との間の距離が所定の距離より大きい場合で、表示部５が第１の明るさで、かつ、タッチパネル部２に第１の時間操作が無ければ、表示部５の明るさが第１の明るさより暗い第２の明るさになる。そして、表示部５が第２の明るさで、かつ、タッチパネル部２に第２の時間操作が無ければ、表示部５の表示が消灯する。また、指１０とタッチパネル部２との間の距離が所定の距離以下の場合で、表示部５が第１の明るさで、かつ、タッチパネル部２に第１の時間操作が無ければ、表示部５の明るさが第２の明るさよりも明るい第３の明るさになる。
【００６０】
このように、表示部５が第１の明るさで、かつ、タッチパネル部２に対して第１の時間操作をしていない場合で、指１０とタッチパネル部２との間の距離が所定の距離より大きければ、表示部５が第１の明るさより暗い第２の明るさに変化する。その後、表示部５の明るさが第２の明るさの場合で、かつ、タッチパネル部２に第２の時間操作が無い場合で、かつ、指１０とタッチパネル部２との間の距離が所定の距離より大きい場合、表示部５の表示を消灯する。また、表示部５が第１の明るさで、かつ、タッチパネル部２に対して第１の時間操作を行っていない場合で、指１０とタッチパネル部２との間の距離が所定の距離以下であれば、表示部５が第２の明るさよりも明るい第３の明るさに変化する。
【００６１】
図４は、本実施の形態に係る携帯電子機器１におけるタッチ領域の大きさと指の近接検知距離の一例を模式的に示した図である。同図の横軸方向はタッチパネル部２におけるタッチ領域の大きさを示し、縦軸方向はタッチパネル部２に対する指の近接検知距離を示す。この図に示す例では、第１の距離Ｌ１を２０ｍｍとし、第２の距離Ｌ２を１５ｍｍとして、指１０とタッチパネル部２との間の距離が、１５ｍｍより大きく、２０ｍｍ以下のときに、表示部５の明るさを第１の明るさ、又は第２の明るさよりも明るい第３の明るさにする。指１０とタッチパネル部２との間の距離が、２０ｍｍを超えるときに、表示部５の明るさを第１の明るさより暗い第２の明るさにする。指１０とタッチパネル部２との間の距離が、１５ｍｍ以下のときには、所定の機能が動作する。即ち、指１０とタッチパネル部２との間の距離が、１５ｍｍより大きければ、表示に関する制御を行い、１５ｍｍ以下であれば、表示以外の機能に関する制御を行う。
【００６２】
図５（ａ）〜（ｅ）は、本実施の形態に係る携帯電子機器１の使用状態の違いによる表示部５の明るさの変化を示す図である。同図の（ａ）は、ブラウザ閲覧時で、表示部５のバックライト５１が点灯している状態を示す図、同図の（ｂ）は、ブラウザ閲覧時で、表示部５のバックライト５１が消灯している状態を示す図である。また、同図の（ｃ）は、ブラウザ閲覧時で、表示部５のバックライト５１が消灯し、かつ表示部５の表示が消灯している状態を示す図、同図の（ｄ）は、ブラウザ閲覧時で、ファンクションキー６−２の押下によって表示部５のバックライト５１が点灯した状態を示す図である。また、同図の（ｅ）は、タッチパネル部２の上空の限界距離内に指１０があり、表示部５のバックライト５１が点灯している状態を示す図である。
【００６３】
次に、本実施の形態に係る携帯電子機器１の動作を説明する。
図６は、本実施の形態に係る携帯電子機器１の明るさ変更処理を示すフローチャートである。同図において、バックライト及び表示制御部４２は、表示部５における表示画面をオンする（ステップＳ１）。即ち、図５の（ｂ）に示すように、バックライト５１が消灯のままで液晶表示器のみが動作する状態となる。
【００６４】
次いで、バックライト及び表示制御部４２は、表示画面オンからの経過時間ｔが所定時間ｔａ以内で、座標検出部４１でＺ値の検出がされたかどうか判定する（ステップＳ２）。ここで、Ｚ値とは、指１０を検出できる限界距離（所定の距離）のことであり、タッチパネル部２の能力によって決まる。ステップＳ２の判定で、表示画面オンからの経過時間ｔが所定時間ｔａ以内で、座標検出部４１でＺ値の検出がされた場合（「Ｙｅｓ」の場合）、バックライト及び表示制御部４２は、表示部５のバックライト５１を点灯させる（ステップＳ３）。即ち、図５の（ａ）に示すように、バックライト５１を点灯させた状態となる。また、図５の（ｅ）に示すように、タッチパネル部２の上空の限界距離内に指１０が存在する間は、ステップＳ２，Ｓ３が繰り返し行われ、バックライト５１が点灯した状態となる。
【００６５】
バックライト５１を点灯させた後、ステップＳ２に戻り、再度同様の判定を行う。これに対し、表示画面オンからの経過時間ｔが所定時間ｔａ以内で、座標検出部４１でＺ値の検出がされない場合（「Ｎｏ」の場合）、指１０を検出できる限界距離を超えているので、バックライト及び表示制御部４２は、表示部５のバックライト５１を消灯する（ステップＳ４）。即ち、図５の（ｂ）に示すように、バックライト５１が消灯した状態となる。
【００６６】
バックライト及び表示制御部４２は、表示部５のバックライト５１を消灯させた後、バックライト５１を消灯させてからの経過時間ｔ１が所定時間ｔｂ以内で、座標検出部４１でＺ値の検出がされたかどうか判定する（ステップＳ５）。この判定で、バックライト５１を消灯させてからの経過時間ｔ１が所定時間ｔｂ以内で、座標検出部４１でＺ値の検出がされた場合（「Ｙｅｓ」の場合）、バックライト及び表示制御部４２は、表示部５のバックライト５１を点灯させる（ステップＳ３）。これに対し、バックライト５１を消灯させてからの経過時間ｔ１が所定時間ｔｂ以内で、座標検出部４１でＺ値の検出がされない場合（「Ｎｏ」の場合）、バックライト及び表示制御部４２は、表示画面をオフする（ステップＳ６）。即ち、図５の（ｃ）に示すように、表示部５のバックライト５１が消灯し、かつ表示部５の表示が消灯した状態となる。
【００６７】
表示部５の表示画面をオフした後、ファンクションキー６−１〜６−３のいずれか１つでも押されたかどうか判定し（ステップＳ７）、押されていない場合（「Ｎｏ」の場合）、ステップＳ６に戻り、押された場合（「Ｙｅｓ」の場合）、ステップＳ１に戻る。ファンクションキー６−１〜６−３を操作する以外に、タッチパネル部２をタッチしても良い。タッチパネル部２がタッチされた場合、ステップＳ７からステップＳ１に戻る。
【００６８】
このように本実施の形態に係る携帯電子機器１によれば、表示部５が第１の明るさになっている状態で、タッチパネル部２に第１の時間操作が無く、また指１０とタッチパネル部２との間の距離が所定の距離より大きければ、表示部５の明るさを第１の明るさより暗い第２の明るさに変化させ、その後、表示部５の明るさが第２の明るさの場合で、かつ、タッチパネル部２に第２の時間操作が無い場合で、かつ、指１０とタッチパネル部２との間の距離が所定の距離より大きければ、表示部５の表示を消灯させ、また、表示部５の明るさが第１の明るさになっている状態で、タッチパネル部２に第１の時間操作が無く、また指１０とタッチパネル部２との間の距離が所定の距離以下であれば、表示部５の明るさを第２の明るさよりも明るい第３の明るさに変化させる。
したがって、タッチパネル部２に対して第１の時間操作を行わなくても、指１０を所定の距離以下までタッチパネル部２に近づけておけば、表示部５の表示画面を明るい状態の保持することができる。そして、指１０を所定の距離を超えてタッチパネル部２から離すことで表示画面が暗くなり、省電力化が図れる。
【００６９】
なお、本実施の形態に係る携帯電子機器１では、表示部５として、液晶表示器を使用したが、有機ＥＬ（Electro Luminescence）等の自発光の表示器を使用しても良い。自発光の表示器を使用する場合、当然ながらバックライト５１は不要となる。
【００７０】
また、本実施の形態に係る携帯電子機器１では、図６のフローチャートで示す処理を記述したプログラムをＲＯＭに持たせたが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【００７１】
また、本実施の形態に係る携帯電子機器１は、スマートフォンと呼ばれる携帯無線機に適用したものであったが、携帯無線機に限らず、電子レンジ等の家電や、自動車等のナビゲーション等の操作パネルでも適用可能である。
【００７２】
（実施の形態２）
図７は、本発明の実施の形態２に係る携帯電子機器の概略構成を示すブロック図である。なお、図７において前述した図１と共通する部分には同一の符号を付けている。また、本実施の形態に係る携帯電子機器１Ａの概観は、前述した実施の形態１に係る携帯電子機器１の概観（図２参照）と同様であるので、説明上必要な場合には図２を援用することとする。また、本実施の形態に係る携帯電子機器１Ａも実施の形態１に係る携帯電子機器１と同様に、例えばスマートフォンと呼ばれる携帯無線機に適用したものであり、無線機としての通信に関する部分は省略している。
【００７３】
図７において、本実施の形態に係る携帯電子機器１Ａは、タッチパネル部（タッチパネル）２と、タッチパネルコントローラ３と、機器制御部４Ａと、表示部５と、ファンクションキー６と、加速度センサー１５とを備える。また、図２において、携帯電子機器１Ａの筐体７の前面側には、タッチパネル部２と表示部５が積層状態で配置されている。また、筐体７の前面側の下端部には、３つのファンクションキー６−１〜６−３が等間隔で配置されている。タッチパネルコントローラ３と機器制御部４Ａは、ＣＰＵ、ＲＯＭ、ＲＡＭ及びインタフェース回路で構成される。該ＲＯＭにはＣＰＵを制御するためのプログラムが記憶されており、該ＲＡＭはＣＰＵの動作において使用される。
【００７４】
タッチパネル部２は、受信電極における電荷の変化に応じた受信信号をタッチパネルコントローラ３に出力する。タッチパネルコントローラ３は、タッチパネル部２に送信信号を出力するとともに、タッチパネル部２から出力される受信信号を入力する。また、タッチパネルコントローラ３は、タッチパネル部２からの受信信号を入力した場合、入力した受信信号から指示体を検出し、検出した指示体の位置（Ｘ，Ｙ，Ｚ）を示す座標信号を機器制御部４Ａに出力する。なお、指示体は、前述した「指」の他に、タッチパネル部２が反応する「鍵などの金属」もある。
【００７５】
表示部５には、液晶表示器（ＬＣＤ）が用いられ、明るさはバックライト５１によって供給される。ファンクションキー６−１〜６−３は、携帯電子機器１Ｂに設けられた３つの機能を実行させるためのものであり、それぞれからファンクションキー制御信号が出力される。加速度センサー１５は、本実施の形態に係る携帯電子機器１Ａの揺れや上下方向を検出するものであり、揺れや上下方向に応じたセンサー信号を出力する。機器制御部４Ａは、座標検出部４１とバックライト及び表示制御部４２Ｂとを有する。座標検出部４１は、タッチパネルコントローラ３に制御信号を出力し、またタッチパネルコントローラ３からの座標信号をバックライト及び表示制御部４２Ａに出力する。タッチパネルコントローラ３から出力される座標信号はタッチパネル部２上の指示体の位置（Ｘ，Ｙ，Ｚ）を示す信号である。
【００７６】
バックライト及び表示制御部４２Ａは、表示部５に対してバックライト５１を点灯させるためのバックライト制御信号を出力するとともに、タッチパネル部２でのタッチ操作やホバー操作に応じた表示制御信号を出力する。また、バックライト及び表示制御部４２Ａは、ファンクションキー６−１〜６−３のそれぞれから出力されるファンクションキー制御信号に従って所定の機能を実行する。また、バックライト及び表示制御部４２Ａは、座標検出部４１から出力される座標信号に基づいてタッチパネル部２での操作（タッチ操作、ホバー操作）を検出する。即ち、座標検出部４１から出力される座標信号のうちＺ軸方向のＺ信号より指示体の近接を判定し、指示体とタッチパネル部２との間の距離が所定の距離（以下で説明する“第２の距離”）以下の場合、座標検出部４１から出力されるＸ軸方向のＸ信号及びＹ軸方向のＹ信号よりタッチパネル部２での操作を検出する。
【００７７】
また、バックライト及び表示制御部４２Ａは、タッチパネル部２に対する操作が行われていない時間（無操作時間）、タッチパネル部２に設定された所定の領域内における指示体の有無、タッチパネル部２から指示体までの距離（基準となる距離は“第１の距離”である）、及び、加速度センサー１５による加速度検出の有無に基づいて表示部５のバックライト５１の点灯制御を行う。なお、バックライト及び表示制御部４２Ａは計時機能を有しており、無操作時間の計測を行う。
【００７８】
図８は、タッチパネル部２と指示体１０の位置関係を示す図である。なお、本実施の形態に係る携帯電子機器１Ａでは、指示体として、「指」の他に「鍵などの金属」も想定しているので、「指」に対しては、符号「１０」を付与し、「鍵などの金属」に対しては、符号「１０Ａ」を付与する。図８において、タッチパネル部２から指示体１０（１０Ａ）までの第１の距離が表示部５の点灯判定に用いられる距離である。また、タッチパネル部２の上空の第２の距離がタッチパネル部２での操作検出に用いられる距離である。タッチパネル部２には所定の領域（Ｘａ，Ｙａ）２０が設定される。
【００７９】
なお、本実施の形態に係る携帯電子機器１Ａにおいても、タッチ領域の大きさと指示体の近接検知距離の関係は、図４で示した一例と同様である。即ち、指示体１０（１０Ａ）とタッチパネル部２との間の距離が１５ｍｍより大きく、２０ｍｍ以下のときに、表示部５の明るさを第１の明るさ、又は第２の明るさよりも明るい第３の明るさにする。また、指示体１０（１０Ａ）とタッチパネル部２との間の距離が２０ｍｍを超えるときに、表示部５の明るさを第１の明るさより暗い第２の明るさにする。指示体１０（１０Ａ）とタッチパネル部２との間の距離が１５ｍｍ以下のときには所定の機能が動作する。即ち、指示体１０（１０Ａ）とタッチパネル部２との間の距離が１５ｍｍより大きければ、表示に関する制御を行い、１５ｍｍ以下であれば、表示以外の機能に関する制御を行う。
【００８０】
ここで、表示部５において、表示画面の表示が行われているときを「表示画面オン」と呼び、表示画面の表示が行われていないときを「表示画面オフ」と呼ぶ。また、表示部５のバックライト５１において、バックライト５１が点灯しているときを「バックライトオン」と呼び、バックライト５１が消灯しているときを「バックライトオフ」と呼ぶ。また、第１の明るさを、表示画面オン及びバックライトオンのときの明るさとし、第２の明るさを、表示画面オフ及びバックライトオフのときの明るさ（消灯）とし、第３の明るさを、表示画面オンのときの明るさとする。なお、表示画面オンのみのときの明るさ（第３の明るさ）は、バックライト５１も点灯する第１の明るさより暗くなるが、第１の明るさと同じにしても構わない。
【００８１】
バックライト及び表示制御部４２Ａによる表示部５の点灯制御は以下のように行われる。
（１）表示画面オン及びバックライトオンの場合（第１の明るさの場合）で、かつ、タッチパネル部２に所定時間操作が無い場合（タッチ操作、ホバー操作のどちらも無い場合）で、かつ、指示体１０（１０Ａ）とタッチパネル部２との間の距離が第１の距離（所定の距離）より大きい場合、表示画面オフ及びバックライトオフにする（第１の明るさより暗い第２の明るさにする）バックライト制御信号及び表示制御信号を表示部５に出力する。即ち、所定時間操作を行っていない場合で、指示体１０（１０Ａ）をタッチパネル部２に対し、第１の距離を超えて離すと、表示部５の明るさを第１の明るさより暗い第２の明るさにする。
【００８２】
（２）表示画面オン及びバックライトオンの場合（第１の明るさの場合）で、かつ、タッチパネル部２に所定時間操作が無い場合（タッチ操作、ホバー操作のどちらも無い場合）で、かつ、指示体１０（１０Ａ）がタッチパネル部２に設定された所定の領域（Ｘａ，Ｙａ）２０内に有り、かつ、指示体１０（１０Ａ）とタッチパネル部２との間の距離が第１の距離以下である場合、バックライトオンを維持する（第２の明るさよりも明るい第３の明るさにする）バックライト制御信号及び表示制御信号を表示部５に出力する。即ち、所定時間操作を行っていない場合で、指示体１０（１０Ａ）をタッチパネル部２に設定された所定の領域（Ｘａ，Ｙａ）２０の上空で、タッチパネル部２に対し、第１の距離以下とすると、表示部５の明るさを第２の明るさより明るい第３の明るさにする。
【００８３】
（３）表示画面オン及びバックライトオンの場合（第１の明るさの場合）で、かつ、タッチパネル部２に所定時間操作が無い場合（タッチ操作、ホバー操作のどちらも無い場合）で、かつ、指示体１０（１０Ａ）がタッチパネル部２に設定された所定の領域（Ｘａ，Ｙａ）２０外に有り、かつ、指示体１０（１０Ａ）とタッチパネル部２との間の距離が第１の距離以下である場合、表示画面オフ及びバックライトオフにする（第１の明るさより暗い第２の明るさにする）バックライト制御信号及び表示制御信号を表示部５に出力する。即ち、所定時間操作を行っていない場合で、指示体１０（１０Ａ）をタッチパネル部２に設定された所定の領域（Ｘａ，Ｙａ）２０から外れた領域の上空で、タッチパネル部２に対し、第１の距離以下とすると、表示部５の明るさを第１の明るさより暗い第２の明るさにする。このような点灯制御は、例えば、タッチパネル部２が反応してしまう距離内に鍵等の金属がある場合に行われる。即ち、携帯電子機器１Ａを鞄の中に入れたときに、タッチパネル部２の所定の領域（Ｘａ，Ｙａ）２０内で第１の距離内に鍵等の金属が存在すると、タッチパネル部２が反応して、表示画面オン及びバックライトオンが継続されるが、所定時間経過した後にそれぞれオフとなる。
【００８４】
（４）表示画面オン及びバックライトオンの場合（第１の明るさの場合）で、かつ、タッチパネル部２に所定時間操作が無い場合（タッチ操作、ホバー操作のどちらも無い場合）で、かつ、指示体１０（１０Ａ）がタッチパネル部２に設定された所定の領域（Ｘａ，Ｙａ）２０内に有り、かつ、指示体１０（１０Ａ）とタッチパネル部２との間の距離が第１の距離以下である場合で、かつ、加速度センサー１５が所定の加速度を検出しない場合、バックライトオンを維持する（第２の明るさよりも明るい第３の明るさにする）バックライト制御信号及び表示制御信号を表示部５に出力する。即ち、所定時間操作を行っていない場合で、指示体１０（１０Ａ）をタッチパネル部２に設定された所定の領域（Ｘａ，Ｙａ）２０の上空で、タッチパネル部２に対し、第１の距離以下とし、さらに、このときに所定の加速度が検出されていなければ、表示部５の明るさを第３の明るさにする。このような点灯制御は、例えば、ユーザが携帯電子機器１Ａを持ったまま立ち止まっていて、しかも操作を行っていないときに行われる。
【００８５】
（５）表示画面オン及びバックライトオンの場合（第１の明るさの場合）で、かつ、タッチパネル部２に所定時間操作が無い場合（タッチ操作、ホバー操作のどちらも無い場合）で、かつ、指示体１０（１０Ａ）がタッチパネル部２に設定された所定の領域（Ｘａ，Ｙａ）２０内に有り、かつ、指示体１０（１０Ａ）とタッチパネル部２との間の距離が第１の距離以下である場合で、かつ、加速度センサー１５が所定の加速度を検出する場合、表示画面オフ及びバックライトオフにする（第１の明るさより暗い第２の明るさにする）バックライト制御信号及び表示制御信号を表示部５に出力する。即ち、所定時間操作を行っていない場合で、指示体１０（１０Ａ）をタッチパネル部２に設定された所定の領域（Ｘａ，Ｙａ）２０の上空で、タッチパネル部２に対し、第１の距離以下とし、さらに、このときに所定の加速度が検出されていれば、表示部５の明るさを第２の明るさにする。このような点灯制御は、例えば、ユーザが携帯電子機器１Ａを持って歩行しているときに行われる。当然ながら操作は行っていない。
【００８６】
図９（ａ）〜（ｄ）は、本実施の形態に係る携帯電子機器１Ａの使用形態を示す図である。同図の（ａ）は、指示体１０が所定の領域（Ｘａ，Ｙａ）２０の上空にある場合を示す図であり、指示体１０が所定の領域（Ｘａ，Ｙａ）２０の上空で、タッチパネル部２からの距離が第１の距離以下であれば、この状態を指示体１０が維持している間、表示画面オンとバックライトオンが継続する。
【００８７】
同図の（ｂ）は、指示体１０が所定の領域（Ｘａ，Ｙａ）２０以外の領域の上空にある場合を示す図であり、指示体１０が所定の領域（Ｘａ，Ｙａ）２０以外の領域の上空で、その状態が所定時間継続すると、表示画面オフとなるとともにバックライトオフとなる。
【００８８】
同図の（ｃ）は、指示体１０が所定の領域（Ｘａ，Ｙａ）２０の上空にある場合を示す図であり、指示体１０が所定の領域（Ｘａ，Ｙａ）２０の上空にあって、加速度センサー１５にて携帯電子機器１Ａの振動が検出されると、表示画面オフとなるとともにバックライトオフとなる。同図の（ｃ）に示す状態は、ユーザが携帯電子機器１Ａを持って移動中に携帯電子機器１Ａが下向きになった状態である。携帯電子機器１Ａの向き（上、下）及び振動の有無が加速度センサー１５で検出される。指示体１０が所定の領域（Ｘａ，Ｙａ）２０にある場合でもあっても、表示画面オフとなるとともにバックライトオフとなる。
【００８９】
同図の（ｄ）は、ユーザが携帯電子機器１Ａを鞄３０の中に入れて持ち歩いている状態である。携帯電子機器１Ａを持ち歩いているときに発生する振動が加速度センサー１５で検出される。前述したように、タッチパネル部２が金属の鍵である指示体１０Ａに反応しても、表示画面オフとなるとともにバックライトオフとなる。
【００９０】
次に、本実施の形態に係る携帯電子機器１Ａの動作を説明する。
図１０は、本実施の形態に係る携帯電子機器１Ａにおいて、加速度検出を行わない場合の明るさ変更処理を示すフローチャートである。同図において、バックライト及び表示制御部４２Ａは、まず表示画面オンとする（ステップＳ１０）。この場合、バックライトオンも含む。
【００９１】
次いで、バックライト及び表示制御部４２Ａは、指示体１０（１０Ａ）が所定の領域（Ｘａ，Ｙａ）２０内に有り、表示画面オンからの経過時間ｔが所定時間ｔａ以内で、座標検出されたかどうか（指示体１０（１０Ａ）とタッチパネル部２との間の距離が第１の距離以下であることが検出されたかどうか）判定する（ステップＳ１１）。ステップＳ１１の判定で、指示体１０（１０Ａ）が所定の領域（Ｘａ，Ｙａ）２０内に有り、表示画面オンからの経過時間ｔが所定時間ｔａ以内で、座標検出された場合（「Ｙｅｓ」と判断した場合）、バックライト及び表示制御部４２Ａは、表示画面オン及びバックライトオンを継続させる。ステップＳ１１の条件が成立している間、表示画面オン及びバックライトオンが継続する。
【００９２】
ステップＳ１１の条件が成立しなくなると（「Ｎｏ」と判断した場合）、即ち、指示体１０（１０Ａ）が所定の領域（Ｘａ，Ｙａ）２０外に出た場合、表示画面オンからの経過時間ｔが所定時間ｔａを経過した場合、又は、指示体１０（１０Ａ）とタッチパネル部２との間の距離が第１の距離より大きくなった場合、バックライト及び表示制御部４２Ａは、バックライトオフとする（ステップＳ１２）。バックライトオフ後、指示体１０（１０Ａ）が所定の領域（Ｘａ，Ｙａ）２０内に有り、バックライトオフからの経過時間ｔ１が所定時間ｔｂ以内で、座標検出されたかどうか判定する（ステップＳ１３）。ステップＳ１３の条件が成立する場合（「Ｙｅｓ」と判断した場合）、バックライト及び表示制御部４２Ａは、バックライトオンとする（ステップＳ１４）。ステップＳ１１及びステップＳ１３の両条件が成立している間、表示画面オン及びバックライトオンが継続する。
【００９３】
ステップＳ１３の条件が成立しなくなると（「Ｎｏ」と判断した場合）、即ち、指示体１０（１０Ａ）が所定の領域（Ｘａ，Ｙａ）２０外に出た場合、バックライトオフからの経過時間ｔ１が所定時間ｔｂを経過した場合、又は、指示体１０（１０Ａ）とタッチパネル部２との間の距離が第１の距離より大きくなった場合、バックライト及び表示制御部４２Ａは、表示画面オフとする（ステップＳ１５）。表示画面オフ後、バックライト及び表示制御部４２Ａは、ファンクションキー６−１〜６−３のいずれか１つでも押されたかどうか判定し（ステップＳ１６）、押されていない場合（「Ｎｏ」の場合）、ステップＳ１５に戻り、表示画面オフを継続する。この状態は、ファンクションキー６−１〜６−３のいずれか１つが押されるまで継続する。これに対し、ファンクションキー６−１〜６−３のいずれか１つが押された場合（「Ｙｅｓ」の場合）、バックライトオンとし（ステップＳ１７）、ステップＳ１０に戻る。
【００９４】
上記動作をまとめると、表示画面オン及びバックライトオンの状態で、指示体１０（１０Ａ）が所定の領域（Ｘａ，Ｙａ）２０内に有り、表示画面オンからの経過時間ｔが所定時間ｔａ以内で、座標検出がされた場合、この条件が成立している間、表示画面オン及びバックライトオンが継続する。この状態で指示体１０（１０Ａ）が所定の領域（Ｘａ，Ｙａ）２０外に出た場合、表示画面オンからの経過時間ｔが所定時間ｔａを経過した場合、又は、指示体１０（１０Ａ）とタッチパネル部２との間の距離が第１の距離より大きくなった場合、バックライトオフとする。その後、指示体１０が所定の領域（Ｘａ，Ｙａ）２０内に有り、表示画面オンからの経過時間ｔ１が所定時間ｔｂ以内で、座標検出がされた場合、バックライトオンとする。この条件と先の条件が成立している間、表示画面オン及びバックライトオンが継続する。この条件が成立しなくなると、表示画面オフとする。この状態はファンクションキー６−１〜６−３のいずれか１つが押されるまで継続し、ファンクションキー６−１〜６−３のいずれか１つが押されるとバックライトオンとする。
【００９５】
図１１は、本実施の形態に係る携帯電子機器１Ａにおいて、加速度検出を行う場合の明るさ変更処理を示すフローチャートである。同図において、バックライト及び表示制御部４２Ａは、まず表示画面オンとする（ステップＳ２０）。この場合、バックライトオンも含む。
【００９６】
次いで、バックライト及び表示制御部４２Ａは、指示体１０（１０Ａ）が所定の領域（Ｘａ，Ｙａ）２０内に有り、表示画面オンからの経過時間ｔが所定時間ｔａ以内で、座標検出されたかどうか判定する（ステップＳ２１）。ステップＳ２１の判定で、指示体１０（１０Ａ）が所定の領域（Ｘａ，Ｙａ）２０内に有り、表示画面オンからの経過時間ｔが所定時間ｔａ以内で、座標検出された場合（「Ｙｅｓ」と判断した場合）、バックライト及び表示制御部４２Ａは、加速度センサー１５から出力されたセンサー信号を元に携帯電子機器１Ａが下向きで、かつ、振動有りかどうか判定する（ステップＳ２２）。この判定において、携帯電子機器１Ａが下向きで、かつ、振動が有る場合（「Ｙｅｓ」の場合）、バックライトオフとし（ステップＳ２３）、次いで表示画面オフとする（ステップＳ２４）。そして、ファンクションキー６−１〜６−３のいずれか１つでも押されたかどうか判定し（ステップＳ２５）、押されていない場合（「Ｎｏ」の場合）、ステップＳ２４に戻り、表示画面オフを継続する。この状態は、ファンクションキー６−１〜６−３のいずれか１つが押されるまで継続する。これに対し、ファンクションキー６−１〜６−３のいずれか１つが押された場合（「Ｙｅｓ」の場合）、ステップＳ２０に戻り、表示画面オンとする。また、ステップＳ２２の判定において、携帯電子機器１Ａが下向き以外で、かつ、振動が無い場合（「Ｎｏ」の場合）は、そのままステップＳ２０に戻る。
【００９７】
一方、ステップＳ２１の条件が成立しなくなると（「Ｎｏ」と判断した場合）、即ち、指示体１０（１０Ａ）が所定の領域（Ｘａ，Ｙａ）２０外に出た場合、表示画面オンからの経過時間ｔが所定時間ｔａを経過した場合、又は、指示体１０（１０Ａ）とタッチパネル部２との間の距離が第１の距離より大きくなった場合、バックライト及び表示制御部４２Ａは、バックライトオフとする（ステップＳ２６）。バックライトオフ後、指示体１０（１０Ａ）が所定の領域（Ｘａ，Ｙａ）２０内に有り、バックライトオフからの経過時間ｔ１が所定時間ｔｂ以内で、座標検出されたかどうか判定する（ステップＳ２７）。ステップＳ２７の条件が成立する場合（「Ｙｅｓ」と判断した場合）、バックライト及び表示制御部４２Ａは、バックライトオンとする（ステップＳ２８）。
【００９８】
ステップＳ２７の条件が成立しなくなると（「Ｎｏ」と判断した場合）、即ち、指示体１０（１０Ａ）が所定の領域（Ｘａ，Ｙａ）２０外に出た場合、バックライトオフからの経過時間ｔ１が所定時間ｔｂを経過した場合、又は、指示体１０（１０Ａ）とタッチパネル部２との間の距離が第１の距離より大きくなった場合、バックライト及び表示制御部４２Ａは、表示画面オフとする（ステップＳ２９）。表示画面オフ後、バックライト及び表示制御部４２Ａは、ファンクションキー６−１〜６−３のいずれか１つでも押されたかどうか判定し（ステップＳ３０）、押されていない場合（「Ｎｏ」の場合）、ステップＳ２９に戻り、表示画面オフを継続する。この状態は、ファンクションキー６−１〜６−３のいずれか１つが押されるまで継続する。これに対し、ファンクションキー６−１〜６−３のいずれか１つが押された場合（「Ｙｅｓ」の場合）、バックライトオンとし（ステップＳ３１）、ステップＳ２０に戻る。
【００９９】
上記動作をまとめると、表示画面オン及びバックライトオンの状態で、指示体１０（１０Ａ）が所定の領域（Ｘａ，Ｙａ）２０内に有り、表示画面オンからの経過時間ｔが所定時間ｔａ以内で、座標検出がされ、さらに、携帯電子機器１Ａが下向き、かつ、振動があると、バックライトオフとし、さらに表示画面オフとする。この状態で、ファンクションキー６−１〜６−３のいずれも押されなければ、表示画面オフを継続し、ファンクションキー６−１〜６−３のいずれか１つでも押されれば、表示画面オンとするとともに、バックライトオンとする。この状態で、指示体１０（１０Ａ）が所定の領域（Ｘａ，Ｙａ）２０外に出た場合、表示画面オンからの経過時間ｔが所定時間ｔａを経過した場合、又は、指示体１０（１０Ａ）とタッチパネル部２との間の距離が第１の距離より大きくなった場合、バックライトオフとする。その後、指示体１０（１０Ａ）が所定の領域（Ｘａ，Ｙａ）２０内に有り、表示画面オンからの経過時間ｔ１が所定時間ｔｂ以内で、座標検出がされた場合、バックライトオンとする。この条件が成立しなくなると、表示画面オフとする。この状態はファンクションキー６−１〜６−３のいずれか１つが押されるまで継続し、ファンクションキー６−１〜６−３のいずれか１つが押されるとバックライトオンとする。
【０１００】
このように本実施の形態に係る携帯電子機器１Ａによれば、表示画面オン及びバックライトオンの場合で、かつ、タッチパネル部２に所定時間操作が無い場合で、かつ、指示体１０（１０Ａ）とタッチパネル部２との間の距離が第１の距離より大きいの場合、バックライトオフとするので、省電力化が図れる。
【０１０１】
また、表示画面オン及びバックライトオンの場合で、かつ、タッチパネル部２に所定時間操作が無い場合で、かつ、指示体１０（１０Ａ）が所定の領域（Ｘａ，Ｙａ）２０内に有り、かつ、指示体１０（１０Ａ）とタッチパネル部２との間の距離が第１の距離以下の場合、バックライトオンを維持する。
【０１０２】
また、表示画面オン及びバックライトオンの場合で、かつ、タッチパネル部２に所定時間操作が無い場合で、かつ、指示体１０（１０Ａ）がタッチパネル部２に設定された所定の領域（Ｘａ，Ｙａ）２０内に有り、かつ、指示体１０（１０Ａ）とタッチパネル部２との間の距離が第１の距離以下である場合で、かつ、加速度センサー１５が所定の加速度を検出しない場合、バックライトオンを維持する。
【０１０３】
また、表示画面オン及びバックライトオンの場合で、かつ、タッチパネル部２に所定時間操作が無い場合で、かつ、指示体１０（１０Ａ）がタッチパネル部２に設定された所定の領域（Ｘａ，Ｙａ）２０内に有り、かつ、指示体１０（１０Ａ）とタッチパネル部２との間の距離が第１の距離以下である場合で、かつ、加速度センサー１５が所定の加速度を検出する場合、表示画面オフ及びバックライトオフにするので、携帯電子機器１Ａを手で持っていても、使用状態でなければ自動的に表示画面が暗くなることから、省電力化が図れる。
【０１０４】
なお、本実施の形態に係る携帯電子機器１Ａでは、表示部５として、液晶表示器を使用したが、有機ＥＬ等の自発光の表示器を使用しても良い。自発光の表示器を使用する場合、当然ながらバックライト５１は不要となる。
【０１０５】
また、本実施の形態に係る携帯電子機器１Ａでは、図１０又は図１１のフローチャートで示す処理を記述したプログラムをＲＯＭに持たせたが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【０１０６】
また、本実施の形態に係る携帯電子機器１Ａは、スマートフォンと呼ばれる携帯無線機に適用したものであったが、携帯無線機に限らず、電子レンジ等の家電や、自動車等のナビゲーション等の操作パネルでも適用可能である。
【０１０７】
（実施の形態３）
図１２は、本発明の実施の形態３に係る携帯電子機器の概略構成を示すブロック図である。なお、図１２において前述した図１と共通する部分には同一の符号を付けている。また、本実施の形態に係る携帯電子機器１Ｂの概観は、前述した実施の形態１に係る携帯電子機器１の概観（図２参照）と同様であるので、説明上必要な場合には図２を援用することとする。また、本実施の形態に係る携帯電子機器１Ｂも実施の形態１に係る携帯電子機器１と同様に、例えばスマートフォンと呼ばれる携帯無線機に適用したものであり、無線機としての通信に関する部分は省略している。
【０１０８】
図１２において、本実施の形態に係る携帯電子機器１Ｂは、タッチパネル部（タッチパネル）２と、タッチパネルコントローラ３と、機器制御部４Ｂと、表示部５と、ファンクションキー６とを備える。また、図２において、携帯電子機器１Ｂの筐体７の前面側には、タッチパネル部２と表示部５が積層状態で配置されている。また、筐体７の前面側の下端部には、３つのファンクションキー６−１〜６−３が等間隔で配置されている。タッチパネルコントローラ３と機器制御部４Ｂは、ＣＰＵ、ＲＯＭ、ＲＡＭ及びインタフェース回路で構成される。該ＲＯＭにはＣＰＵを制御するためのプログラムが記憶されており、該ＲＡＭはＣＰＵの動作において使用される。
【０１０９】
タッチパネル部２は、受信電極における電荷の変化に応じた受信信号をタッチパネルコントローラ３に出力する。タッチパネルコントローラ３は、タッチパネル部２に送信信号を出力するとともに、タッチパネル部２から出力される受信信号を入力する。また、タッチパネルコントローラ３は、タッチパネル部２からの受信信号を入力すると、入力した受信信号から指示体を検出し、検出した指示体の位置（Ｘ，Ｙ，Ｚ）を示す座標信号を機器制御部４Ｂに出力する。
【０１１０】
表示部５には、液晶表示器（ＬＣＤ）が用いられ、明るさはバックライト５１によって供給される。ファンクションキー６−１〜６−３は、携帯電子機器１Ｂに設けられた３つの機能を実行させるためのものであり、それぞれからファンクションキー制御信号が出力される。機器制御部４Ｂは、座標検出部４１とバックライト及び表示制御部４２Ｂとを有する。座標検出部４１は、タッチパネルコントローラ３に制御信号を出力し、またタッチパネルコントローラ３からの座標信号をバックライト及び表示制御部４２Ｂに出力する。タッチパネルコントローラ３から出力される座標信号はタッチパネル部２上の指示体の位置（Ｘ，Ｙ，Ｚ）を示す信号である。
【０１１１】
バックライト及び表示制御部４２Ｂは、表示部５に対してバックライト５１を点灯させるためのバックライト制御信号を出力するとともに、タッチパネル部２でのタッチ操作やホバー操作に応じた表示制御信号を出力する。また、バックライト及び表示制御部４２Ｂは、ファンクションキー６−１〜６−３のそれぞれから出力されるファンクションキー制御信号に従って所定の機能を実行する。また、バックライト及び表示制御部４２Ｂは、座標検出部４１から出力される座標信号に基づいてタッチパネル部２での操作（タッチ操作、ホバー操作）を検出する。即ち、座標検出部４１から出力される座標信号のうちＺ軸方向のＺ信号より指示体の近接を判定し、指示体とタッチパネル部２との間の距離が所定の距離（少なくとも０（ゼロ）よりも大きい距離）以下の場合、座標検出部４１から出力されるＸ軸方向のＸ信号及びＹ軸方向のＹ信号よりタッチパネル部２での操作を検出する。
【０１１２】
また、バックライト及び表示制御部４２Ｂは、指示体とタッチパネル部２との間の距離が所定の距離以下になると、座標検出部４１から出力されるＸ軸方向のＸ信号及びＹ軸方向のＹ信号より指示体の面積を算出し、算出した指示体の面積に基づいて表示部５のバックライト５１の点灯制御を行う。この場合、指示体とタッチパネル部２との間の距離が０であれば、指示体がタッチパネル部２に接触した状態であるので、その接触した部分の面積が算出される。また、指示体とタッチパネル部２との間の距離が０を超え、かつ所定の距離以下であれば、ホバー状態であるので、タッチパネル部２の上空にある指示体の面積が算出される。
【０１１３】
特に、バックライト及び表示制御部４２Ｂは、指示体とタッチパネル部２との間の距離が所定の距離以下になったときから、座標検出部４１から出力される座標信号を継続して取り込んで指示体の面積の算出を繰り返し行う。そして、表示部５のバックライト５１の明るさが第１の明るさの場合で、かつ、少なくとも指示体の面積が、第１の面積（閾値に相当）より大きい状態が第１の時間継続する場合、表示部５のバックライト５１の明るさを、第１の明るさより暗い第２の明るさに変化させる。また、表示部５のバックライト５１の明るさが第２の明るさの場合で、かつ、少なくとも指示体の面積が、第２の面積（閾値に相当）より小さい状態が第２の時間継続する場合、表示部５のバックライト５１の明るさを、少なくとも第２の明るさよりも明るい第３の明るさに変化させる。なお、バックライト及び表示制御部４２Ｂは、計時機能を有しており、指示体の面積が第１の面積より大きい状態が継続する時間や、指示体の面積が第２の面積より小さい状態が継続する時間の計測を行う。
【０１１４】
図１３（ａ），（ｂ）は、本実施の形態に係る携帯電子機器１Ｂの手持ち状態の一例を示す斜視図であり、（ａ）に示す状態は、表示部５に何らかの表示がされていて、指先でタッチ操作又はホバー操作を行おうとしている操作持ち状態を示し、（ｂ）に示す状態は、携帯電子機器１Ｂを握って持っている持ち歩き状態を示している。（ａ）に示す操作待ち状態の場合、（ｂ）に示す持ち歩き状態の場合よりも指示体のタッチパネル部２に対する面積が小さくなる。なお、図１３に示す状態は、（ａ）、（ｂ）共にタッチパネル部２から浮いているホバー状態となっている。
【０１１５】
指示体を人体の一部分として、その部分の大きさを判定できる面積を閾値とすることで、人体の部位を検出することができる。人体の部位は、前述した指の他に、掌、頭、頬、耳などである。当該閾値を、掌を判定できる第１の面積とすることで、図１３の（ｂ）に示す持ち歩き状態を検出することができる。また、当該閾値を、指先を判定できる第２の面積とすることで、図１３の（ａ）に示す操作待ち状態を検出することができる。この場合、当然ながら、第１の面積と第２の面積の大小関係は、第１の面積＞第２の面積となる。第１の面積を第２の面積と異ならせることで、チャタリングを防止することができる。このようにして、指先や掌を検出するための閾値を決定することで、携帯電子機器１Ｂに対し、操作待ち状態と持ち歩き状態を検出することが可能になる。
【０１１６】
バックライト及び表示制御部４２Ｂは、掌を検出した場合、携帯電子機器１Ｂが持ち歩き状態であるとして、表示部５のバックライト５１の明るさを第１の明るさより暗い第２の明るさに変化させる。また、バックライト及び表示制御部４２Ｂは、指先を検出した場合、携帯電子機器１Ｂが操作待ち状態であるとして、表示部５のバックライト５１の明るさを第２の明るさよりも明るい第３の明るさに変化させる。
【０１１７】
なお、閾値に相当する第１の面積と第２の面積は、実質的に同じものであってもよいし、第１の面積を第２の面積よりも大きくしてもよい。この場合、指先と掌とでは、大きさがかなり違うので、それぞれに見合った閾値を設定すればよいが、頬と掌とでは、大きさが略同じであるので、共通する１つの閾値を設定すればよい。
また、第１の時間と第２の時間は、実質的に同じものであってもよいし、異ならしてもよい。
【０１１８】
また、時間（第１の時間、第２の時間）の継続条件を持たなくてもよい。但し、時間の継続条件を持たせることで、誤動作を防止することができる。
また、表示部５のバックライト５１の第３の明るさは、第２の明るさよりも明るく、かつ第１の明るさ以下としてもよいし、第１の明るさと同じにしてもよい。また、第２の明るさは、消灯時の明るさとしてもよい。
【０１１９】
次に、本実施の形態に係る携帯電子機器１Ｂの動作を説明する。
図１４は、本実施の形態に係る携帯電子機器１Ｂの明るさ変更処理を示すフローチャートである。なお、本動作説明においては、第１の面積と第２の面積を１つの面積（所定面積）にしており、第１の継続時間と第２の継続時間を１つの時間（所定時間）にしている。
図１４において、バックライト及び表示制御部４２Ｂは、まず表示部５のバックライト５１をオンする（ステップＳ４０）。次いで、バックライト及び表示制御部４２Ｂは、タッチパネル部２に対する人体の部位の所定面積未満の接触又はホバーを検出したかどうか判定する（ステップＳ４１）。即ち、タッチパネル部２に対する接触が、所定面積未満の接触か、又は、タッチパネル部２に対するホバーが、所定面積未満のホバーかどうかを判定する。この判定において、タッチパネル部２に対する人体の部位の所定面積未満の接触又はホバーを検出した場合（即ち、ステップＳ４１で「Ｙｅｓ」と判定した場合）、表示部５のバックライト５１のオン状態を継続させる。これに対し、バックライト及び表示制御部４２Ｂは、タッチパネル部２に対する人体の部位の所定面積未満の接触又はホバーを検出しない場合（即ち、ステップＳ４１で「Ｎｏ」と判定した場合）、タッチパネル部２に対する人体の部位の所定面積以上の接触又はホバーを所定時間して検出したかどうか判定する（ステップＳ４２）。
【０１２０】
バックライト及び表示制御部４２Ｂは、所定時間以上の接触又はホバーを所定時間検出しない場合（即ち、ステップＳ４２で「Ｎｏ」と判定した場合）、表示部５のバックライト５１のオン状態を継続させる。これに対し、バックライト及び表示制御部４２Ｂは、所定時間以上の接触又はホバーを所定時間検出した場合（即ち、ステップＳ４２で「Ｙｅｓ」と判定した場合）、表示部５のバックライト５１をオフにする（ステップＳ４３）。バックライト５１をオフにした後、所定面積以上の接触又はホバーを検出したかどか判定し（ステップＳ４４）、所定面積以上の接触又はホバーを検出した場合（即ち、ステップＳ４４で「Ｙｅｓ」と判定した場合）、表示部５のバックライト５１のオフ状態を継続させる。これに対し、バックライト及び表示制御部４２Ｂは、所定面積以上の接触又はホバーを検出しない場合（即ち、ステップＳ４４で「Ｎｏ」と判定した場合）、所定面積未満の接触又はホバーを所定時間検出したかどうか判定し（ステップＳ４５）、所定面積未満の接触又はホバーを所定時間検出しない場合（即ち、ステップＳ４５で「Ｎｏ」と判定した場合）、表示部５のバックライト５１のオフ状態を継続させる。
【０１２１】
これに対し、バックライト及び表示制御部４２Ｂは、所定面積未満の接触又はホバーを所定時間検出した場合（即ち、ステップＳ４５で「Ｙｅｓ」と判定した場合）、表示部５のバックライト５１をオフ状態からオン状態にする。以上のステップＳ４０〜Ｓ４５の処理を繰り返し行う。
【０１２２】
このように本実施の形態に係る携帯電子機器１Ｂによれば、表示部５のバックライト５１の明るさが第１の明るさになっている状態で、少なくとも人体の部位の面積が第１の面積より大きい状態が第１の時間継続する場合、表示部５のバックライト５１の明るさを、第１の明るさより暗い第２の明るさに変化させるので、タッチパネル部２に対する操作を行わず、単に携帯電子機器１Ｂを手で持っている間は表示画面を暗い状態に保持することができ、省電力化が図れる。また、人体の部位の面積が第１の面積より大きくなってもそれが一時的であれば第２の明るさに変化させないので、誤動作を防止できる。
【０１２３】
また、表示部５のバックライト５１の明るさが第２の明るさになっている状態で、少なくとも人体の部位の面積が第２の面積より小さい状態が第２の時間継続する場合、表示部５のバックライト５１の明るさを、少なくとも第２の明るさよりも明るい第３の明るさに変化させるので、タッチパネル部２に対して操作待ち又は操作を行っている間は表示画面を明るい状態に保持することができる。また、人体の部位の面積が第２の面積より小さくなってもそれが一時的であれば第３の明るさに変化させないので、誤動作を防止できる。
【０１２４】
なお、本実施の形態に係る携帯電子機器１Ｂでは、表示部５として、液晶表示器（ＬＣＤ）を用いたが、有機ＥＬ等の自ら発光する自発光の表示器を使用しても良い。自発光の表示器を使用する場合、当然ながらバックライト５１は不要となる。
【０１２５】
また、本実施の形態に係る携帯電子機器１Ｂでは、図１４のフローチャートで示す処理を記述したプログラムをＲＯＭに持たせたが、当該プログラムを、磁気ディスク、光ディスク、光磁気ディスク、フラッシュメモリ等の記憶媒体に格納して配布したり、インターネット等のネットワーク上のサーバ（図示略）に保存するようにして、電気通信回線を利用してダウンロードできるようにしたりすることも可能である。
【０１２６】
また、本実施の形態に係る携帯電子機器１Ｂにおいて、所定の距離を第１の距離とし、また、第１の距離より小さい第２の距離を設定し、人体の部位とタッチパネル部２との間の距離が第２の距離以下の場合に動作する所定の機能を持たせてもよい。所定の機能としては、例えば、表示部５に表示するアイコンに対応する機能である。これにより、指先を第２の距離以下までタッチパネル部２に近づけることで、指先の直下にあるアイコンが選択されて、該アイコンに対応する機能が動作する。
【０１２７】
また、本実施の形態に係る携帯電子機器１Ｂは、スマートフォンと呼ばれる携帯無線機に適用したものであったが、携帯無線機に限らず、電子レンジ等の家電や、自動車等のナビゲーション等の操作パネルでも適用可能である。
【０１２８】
本発明を詳細にまた特定の実施態様を参照して説明したが、本発明の精神と範囲を逸脱することなく様々な変更や修正を加えることができることは当業者にとって明らかである。
【０１２９】
本出願は、２０１２年８月９日出願の日本特許出願（特願２０１２−１７７３６９）、２０１２年９月４日出願の日本特許出願（特願２０１２−１９４３２１）、及び２０１２年１２月１８日出願の日本特許出願（特願２０１２−２７６２２５）に基づくものであり、その内容はここに参照として取り込まれる。
【産業上の利用可能性】
【０１３０】
本発明は、タッチパネルへの操作が所定時間無い場合でも、ユーザが任意に表示画面の明るさを設定することができるといった効果を有し、静電容量方式のタッチパネルと該タッチパネルと積層配置される表示器を有する携帯電子機器への適用が可能である。
【符号の説明】
【０１３１】
１，１Ａ，１Ｂ  携帯電子機器
２  タッチパネル部
３  タッチパネルコントローラ
４，４Ａ，４Ｂ  機器制御部
５  表示部
６，６−１〜６−３  ファンクションキー
７  筐体
１０，１０Ａ  指示体（指）
１５  加速度センサー
２０  所定の領域（Ｘａ，Ｙａ）
３０  鞄
４１  座標検出部
４２，４２Ａ，４２Ｂ  バックライト及び表示制御部
５１  バックライト
【要約】
バックライト及び表示制御部（４２）は、表示部（５）の明るさが第１の明るさの場合で、かつ、タッチパネル部（２）に第１の時間操作が無く、かつ、指示体とタッチパネル部（２）との間の距離が所定の距離より大きい場合、表示部（５）の明るさを、第１の明るさより暗い第２の明るさにするバックライト制御信号を表示部（５）に出力する。また、バックライト及び表示制御部（４２）は、表示部（５）の明るさが第１の明るさの場合で、かつ、タッチパネル部（２）に第１の時間操作が無く、かつ、指示体とタッチパネル部（２）との間の距離が所定の距離以下である場合、表示部（５）の明るさを、第２の明るさよりも明るい第３の明るさにするバックライト制御信号を表示部（５）に出力する。【図１】
0005519871.tif 000002
【図２】
0005519871.tif 000003
【図３】
0005519871.tif 000004
【図４】
0005519871.tif 000005
【図５】
0005519871.tif 000006
【図６】
0005519871.tif 000007
【図７】
0005519871.tif 000008
【図８】
0005519871.tif 000009
【図９】
0005519871.tif 000010
【図１０】
0005519871.tif 000011
【図１１】
0005519871.tif 000012
【図１２】
0005519871.tif 000013
【図１３】
0005519871.tif 000014
【図１４】
0005519871.tif 000015